(57)【要約】【課題】ある程度の重さのある掲示物でも美観を損なわずに掲示する係止具を提供する。【解決手段】それぞれ尖頭形の第１針部１１及び第２針部１２と、第１針部１１の基端が固定される第１平面１３、及び第１平面１３に平行で、第２針部１２の基端が固定される第２平面１４を有する頭部１０と、を備える係止具１である。第１針部１１は、第１平面１３の法線から所定の角度傾斜して設けられており、第２針部１２は、第２平面１４の法線から所定の角度傾斜して設けられる。第１平面１３は、第１平面１３の法線方向からみたときの第１針部１１の延長線上で第１針部１１の先端の向く方向とは反対の縁部に窪み１５を備え、第２平面１４は、第２平面１４の法線方向からみたときの第２針部１２の延長線上で第２針部１２の先端の向く方向とは反対の縁部に窪み１６を備える。【選択図】図１
2010246710.tif 000002
【特許請求の範囲】
【請求項１】
それぞれが尖頭形の第１係止部材及び第２係止部材と、
前記第１係止部材の基端が固定される第１平面、及びこの第１平面に対して所定の角度をもち、前記第２係止部材の基端が固定される第２平面を有する頭部と、を備えており、
前記第１係止部材は、前記第１平面の法線に対して所定の角度をもって設けられており、
前記第２係止部材は、前記第２平面の法線に対して所定の角度をもって設けられている、
係止具。
【請求項２】
前記頭部は、他の係止具の頭部に接続するための嵌合部と、他の係止具の頭部が接続される嵌合穴と、を備えており、これにより他の係止具の頭部に接続可能に構成される、
請求項１記載の係止具。
【請求項３】
前記嵌合部は、前記頭部から突出して設けられており、
前記嵌合穴は、前記第１平面及び前記第２平面を貫通して設けられており、
前記嵌合部は、前記他の係止具の嵌合穴に嵌合し、前記嵌合穴は、前記他の係止具の嵌合部が嵌合される、
請求項２記載の係止具。
【請求項４】
前記頭部は、前記第１平面を有する第１部材と前記第２平面を有する第２部材とを備えており、
前記第１部材と前記第２部材とは、それぞれ係止機構を有して、第１部材と第２部材とが互いに係止される、
請求項１〜３のいずれか１項に記載の係止具。
【請求項５】
前記第１係止部材が所定の対象物に挿して用いられる場合に、前記第１平面は、前記第１平面の法線方向からみたときの前記第１係止部材の延長線上で前記第１係止部材の先端の向く方向とは反対の縁部に窪みを備え、
前記第２係止部材が前記第１係止部材とは異なる対象物に挿して用いられる場合に、前記第２平面は、前記第２平面の法線方向からみたときの前記第２係止部材の延長線上で前記第１係止部材の先端の向く方向とは反対の縁部に窪みを備える、
請求項１〜４のいずれか１項に記載の係止具。
【請求項６】
前記第１係止部材が所定の対象物に挿して用いられる場合には、前記第１係止部材が前記第１平面の法線に対して所定の角度傾斜して設けられ、
前記第２係止部材が前記第１係止部材とは異なる対象物に挿して用いられる場合には、前記第２係止部材が前記第２平面の法線に対して所定の角度傾斜して設けられ、
前記第１係止部材の先端と前記第２係止部材の先端とが逆の方向を向くように構成される、
請求項５記載の係止具。
【請求項７】
前記第１係止部材が所定の対象物に挿して用いられる場合には、前記第１係止部材が１つの前記頭部に１又は複数設けられ、
前記第２係止部材が前記第１係止部材とは異なる対象物に挿して用いられる場合には、前記第２係止部材が１つの前記頭部に１又は複数設けられる、
請求項５又は６記載の係止具。
【請求項８】
前記第１係止部材及び前記第２係止部材の少なくとも一方がネジの場合に、前記第１平面及び前記第２平面の少なくとも一方は、その縁部の一辺が直線状に構成される、
請求項１〜５記載の係止具。
【発明の詳細な説明】
【技術分野】
【０００１】
本発明は、額などの掲示物を壁などに掛けて掲示する際に用いられる係止具に関する。
【背景技術】
【０００２】
掲示物を壁に掛ける場合には、ねじ込み式のフックやネジ、釘、ピンなどの係止具を用いることが多い。掲示物が係止具に係止されるための凹部や付属品を備える場合には、掲示物をそのまま係止具に掛けることが可能である。しかし、凹部や付属品がない場合には、紐や針金を、掲示物及び係止具に通して用いることがある。紐や針金を用いる場合には、掲示物をバランス良く壁に掛けることに手間取ることが多い。バランスが悪ければ美観を損ねることもある。例えば、額を壁に掲示する場合には、バランスが悪ければ、額が斜めになり美観を損ねることになる。
【０００３】
また、係止具は、壁の裏に柱張りがある場合には、掲示物がある程度重くても支えることが可能である。しかし、柱張りが無い場合には、係止具が抜けやすくなり、あまり重い掲示物を支えることができない。
【０００４】
特許文献１には、このような係止具の一例であるピンフックが開示されている。特許文献１のピンフックは、壁の取り付け面に対して垂直に挿入されてピンフックを壁に固定する取り付けピンと、壁の取り付け面に対して斜めに挿入されてピンフックを壁に固定する取り付けピンとを有する。壁の取り付け面に対して斜めに挿入されるピンにより、ある程度の重さの掲示物がピンフックに掛けられた場合でも、ピンフックが壁から外れにくくなっている。しかし特許文献１のピンフックであっても、掲示物を紐や針金を用いてピンフックに引っかける場合には、掲示物をバランス良く壁に掛けることに手間取ることが多く、バランスが悪くなることで美観を損ねる、という問題は解決されない。
【０００５】
特許文献２は、頭部の針が設けられる面とは反対の面に、両面テープを設けた画鋲を開示している。このような画鋲は、両面テープにより画鋲の頭部に掲示物を貼り付けることができ、掲示物を容易に、バランス良く壁に掲示することができる。しかし、両面テープを用いるために、掲示物の重さに制限がある。また、画鋲であるために、特許文献１のピンフックよりも壁から外れる可能性が高い。
【０００６】
特許文献３は、壁から抜け落ちにくい画鋲を開示している。この画鋲は、針部が円弧または円弧に近似の形状である。円弧の中心と画鋲の回転中心を一致させて画鋲全体を回転させつつ壁に挿入する。針部が円弧または円弧の近似の形状であるために、壁から抜けにくくなっている。
【先行技術文献】
【特許文献】
【０００７】
【特許文献１】特開平１１−７６０４１号公報
【特許文献２】特開平８−９０９９６号公報
【特許文献３】特開２００５−２２３９４号公報
【発明の概要】
【発明が解決しようとする課題】
【０００８】
特許文献２の発明と特許文献３の発明とを組み合わせることで、壁から抜けにくく頭部に掲示物を貼り付けることが可能な画鋲を実現することができる。しかし、掲示物は、紙などの軽い物に限られ、額などの重い物の掲示は困難である。
【０００９】
本発明は、このような問題に鑑み、ある程度の重さのある掲示物でも美観を損なわずに掲示可能な係止具を提供することを課題とする。
【課題を解決するための手段】
【００１０】
上記課題を解決する本発明の係止具は、それぞれが尖頭形の第１係止部材及び第２係止部材と、前記第１係止部材の基端が固定される第１平面、及びこの第１平面に対して所定の角度をもち、前記第２係止部材の基端が固定される第２平面を有する頭部と、を備えている。前記第１係止部材は、前記第１平面の法線に対して所定の角度をもって設けられており、前記第２係止部材は、前記第２平面の法線に対して所定の角度をもって設けられている。
尖頭形の第１、第２係止部材には、針、釘、ピン、或いはナイフ状の平板などのように所定の物に対して挿して用いられるものや、ネジなどのように所定の物に螺合されるものなどがあり、先端が尖っていればどのような物でも用いることができる。
【００１１】
本発明の係止具は、頭部が有する第１、第２平面に第１、第２係止部材を備える。第１係止部材が針、釘、ピンなどであれば、例えばその先端が下向きになるように壁に係止することで、第１係止部材を壁から抜けにくくすることができる。第２係止部材が針、釘、ピンなどの場合は、その先端が上向きになるように掲示物に係止することで、第２係止部材を壁から抜けにくくすることができる。
第１、第２係止部材がネジの場合に第１、第２係止部材は、掲示物や壁に螺合される。この場合には、針、釘、ピンなどでは係止できないような重さや硬さの掲示物や壁であっても係止が可能になる。
このような構造であるために、例えば特許文献２では頭部に貼り付けることが困難であった重さの掲示物であっても、容易に係止できる。また、壁と掲示物とをそれぞれ係止具により係止するのみで、例えば額を壁に掛けることが可能であるので、紐や針金を必要とせず、また係止具自体も額などで隠れてしまうために、美観を損ねることがない。
【００１２】
本発明の係止具は、前記頭部が、例えば、他の係止具の頭部に接続するための嵌合部と、他の係止具の頭部が接続される嵌合穴と、を備えている。前記嵌合部は、例えば前記頭部から突出して設けられており、前記嵌合穴は、例えば前記第１平面及び前記第２平面を貫通して設けられる。前記嵌合部が前記他の係止具の嵌合穴に嵌合し、前記嵌合穴に前記他の係止具の嵌合部が嵌合されることで、他の係止具と接続可能である。
また、前記頭部が、前記第１平面を有する第１部材と前記第２平面を有する第２部材とを備えて構成されていてもよい。前記第１部材と前記第２部材とには、例えばそれぞれ係止機構が設けられ、これにより第１部材と第２部材とが互いに係止されるようになっている。
【００１３】
このような本発明の係止具は、例えば、前記第１係止部材が所定の対象物に挿して用いられる針、釘、ピンなどの場合には、前記第１平面が、前記第１平面の法線方向からみたときの前記第１係止部材の延長線上で前記第１係止部材の先端の向く方向とは反対の縁部に窪みを備える。また、前記第２係止部材が前記第１係止部材とは異なる対象物に挿して用いられる針、釘、ピンなどの場合には、前記第２平面が、前記第２平面の法線方向からみたときの前記第２係止部材の延長線上で前記第１係止部材の先端の向く方向とは反対の縁部に窪みを備える。このような構成では、第１係止部材を壁から抜くときに、第１平面の窪みを用いて容易に抜くことが可能である。第２平面にも第１平面と同様に窪みがあるために、この窪みを用いて容易に第２係止部材を抜くことが可能である。
前記第１係止部材が所定の対象物に挿して用いられる針、釘、ピンなどの場合には、前記第１係止部材が前記第１平面の法線に対して所定の角度傾斜して設けられる。前記第２係止部材が前記第１係止部材とは異なる対象物に挿して用いられる針、釘、ピンなどの場合には、前記第２係止部材が前記第２平面の法線に対して所定の角度傾斜して設けられる。このような構成では、前記第１係止部材の先端と前記第２係止部材の先端とが逆の方向を向くように構成されることが好ましい。
前記第１係止部材が所定の対象物に挿して用いられる針、釘、ピンなどの場合には、前記第１係止部材が１つの前記頭部に１又は複数設けられてもよく、また前記第２係止部材が前記第１係止部材とは異なる対象物に挿して用いられる針、釘、ピンなどの場合には、前記第２係止部材が１つの前記頭部に１又は複数設けられてもよい。複数設けることで、係止具の強度が増し、画鋲と同様の使い勝手を保ちつつ、より重い掲示物であっても係止可能になる。
【００１４】
前記第１係止部材及び前記第２係止部材の少なくとも一方がネジの場合には、例えば前記第１平面及び前記第２平面の少なくとも一方が、その縁部の一辺が直線状に構成される。このような構成であれば、ネジを所定の対象物に楽に螺合できるようになる。
【発明の効果】
【００１５】
本発明の係止具によれば、頭部の第１、第２平面に備えられた第１、第２係止部材により、例えば第１係止部材を壁に係止し、第２係止部材を掲示物に係止することができる。壁及び掲示物のいずれにも係止する構造であるために、従来では係止が困難であった重さの掲示物であっても、係止具から外れることは無い。また、掲示物をそれぞれ係止具により係止するのみであるために、紐や針金を必要とせず、係止具も隠れてしまうので、美観を損ねることがない。
【図面の簡単な説明】
【００１６】
【図１】図１（ａ）は第１実施例の係止具の斜視図、図１（ｂ）は係止具を図１（ａ）の矢印Ａの方向から見た図、図１（ｃ）は係止具を図１（ａ）の矢印Ｂの方向から見た図である。
【図２】第１実施例の係止具の使用時の状態を説明する図である。
【図３】図３（ａ）は第１実施例の係止具の斜視図、図３（ｂ）は係止具を図３（ａ）の矢印Ａの方向から見た図、図３（ｃ）は係止具を図３（ａ）の矢印Ｂの方向から見た図である。
【図４】第２実施例の係止具の使用時の状態を説明する図である。
【図５】第２実施例の係止具の使用時の状態を説明する別の図である。
【図６】第３実施例の係止具３の構成図である。
【図７】第４実施例の係止具４の構成図である。
【図８】第５実施例の係止具５の構成図である。
【図９】第６実施例の係止具６の構成図である。
【図１０】第７実施例の係止具の構成図である。
【図１１】ピンフックの構成図である。
【発明を実施するための形態】
【００１７】
以下、本発明の係止具の実施形態を詳細に説明する。
【００１８】
＜第１実施例＞
図１は、第１実施例の係止具の構成図である。
図１（ａ）は係止具１の斜視図、図１（ｂ）は係止具１を図１（ａ）の矢印Ａの方向から見た図、図１（ｃ）は係止具１を図１（ａ）の矢印Ｂの方向から見た図である。係止具１は、頭部１０、第１係止部材となる尖頭形の第１針部１１、及び第２係止部材となる尖頭形の第２針部１２を備える。第１針部１１及び第２針部１２は、いずれも係止の際に係止の対象となる物に挿して用いられる。
【００１９】
頭部１０は、２つの平行な平面を有しており、一方の面（第１平面１３）に第１針部１１が設けられ、他方の面（第２平面１４）に第２針部１２が設けられる。係止具１の頭部１０は、２枚の同じ形状の平板を所定量ずらして組み合わせた形状である。ずらして組み合わた形状であるために、ずらした量に応じて第１平面１３の窪み１５及び第２平板の窪み１６が形成される。
【００２０】
第１針部１１は、第１平面１３の法線に対して所定の角度傾斜して設けられている。係止具１では、図１（ｂ）に示すように、先端が図中下向きになるように第１針部１１が設けられる。第１平面１３の窪み１５は、第１平面１３の法線方向からみたときの第１針部１１の延長線上で、第１針部１１の先端の向く方向とは反対の縁部に位置する。
【００２１】
第２針部１２は、第２平面１４の法線に対して所定の角度傾斜して設けられている。係止具１では、図１（ｂ）に示すように、先端が図中上向きになるように第２針部１２が設けられる。第２平面１４の窪み１６は、第２平面１４の法線方向からみたときの第２針部１２の延長線上で、第２針部１２の先端の向く方向とは反対の縁部に位置する。
係止具１の第１針部１１と第２針部１２とは、平行に設けられており、矢印Ａの方向からみるとその先端が互いに逆向きになっており、矢印Ｂの方向からみると一直線に並ぶように配置される。
【００２２】
第１針部１１及び第２針部１２の大きさは、係止具１がどのような掲示物を係止するかによって決まる。例えば、掲示物がコルクボードのように軽い物の場合には、長さ１０ｍｍ、直径１ｍｍ〜１．５ｍｍ程度の大きさになる。絵画や建材等の大型で重量の重い掲示物は、その重さに耐えうる素材（例えば、プラスチック、厚紙、鉄など）を用い、大きさを適宜決めて係止具１を形成する。
【００２３】
図２は、係止具１の使用時の状態を説明する図である。図２では、第１針部１１が壁Ｗに係止される。第２針部１２が掲示物Ｏに係止される。掲示物Ｏは、例えば額である。なお、本明細書中では、以下の実施例も含めて掲示物Ｏを壁Ｗに掛けるために係止具１を用いる構成を説明するが、これに限らず、２個の別の対象物をつなぐために係止具１を用いることも可能である。
【００２４】
係止具１は、壁Ｗと掲示物Ｏとの間に設けられる。第１針部１１は、壁Ｗに対して、先端が図２の下方に向くように挿入される。これにより係止具１が壁Ｗに係止される。第２針部１２は、掲示物Ｏに対して先端が図２の上方を向くように挿入される。これにより係止具１が掲示物Ｏに係止される。このように係止されることで、第２針部１２に掲示物Ｏにより図２の下方向きの力が加わっても、簡単に第２針部１２が抜けることはない。また、掲示物Ｏにより、係止具１には図２の下側方向に荷重がかかるが、第１針部１１の先端が下側を向いているために、簡単に第１針部１１が壁Ｗから簡単に抜けることはない。
【００２５】
係止具１を外す場合には、まず、窪み１６に指や棒を挿し込んで、掲示物Ｏを下から上へ、第２平面１４の上端を回転中心として回転させる。これにより、第２針部１２が掲示物Ｏから簡単に抜ける。次に、窪み１５に指や棒を挿し込んで係止具１を上から下へ、第１平面の下端を回転中止として回転させる。これにより、第１針部１１が壁Ｗから簡単に抜ける。
【００２６】
このように、係止具１は、壁Ｗや掲示物Ｏから自然に抜ける可能性は低い。しかし、使用者が係止具１を壁Ｗや掲示物Ｏから抜こうとする場合には容易に抜くことができる。また係止具１は、第１針部１１及び第２針部１２により、従来の画鋲と同じ容易さで壁Ｗや掲示物Ｏに係止される。
【００２７】
＜第２実施例＞
図３は、第２実施例の係止具の構成図である。
図３（ａ）は係止具２の斜視図、図３（ｂ）は係止具２を図３（ａ）の矢印Ａの方向から見た図、図３（ｃ）は係止具２を図３（ａ）の矢印Ｂの方向から見た図である。係止具２は、頭部２０、第１係止部材となる尖頭形の第１針部２１、及び第２係止部材となる尖頭形のネジ部２２を備える。第１針部２１は、係止の際に係止の対象となる物に挿して用いられ、ネジ部２２は、係止の際に係止の対象となる物に螺合される。
【００２８】
頭部２０は、２つの平行な平面を有しており、一方の面（第１平面２３）に第１針部２１が設けられ、他方の面（第２平面２４）にネジ部２２が設けられる。係止具２の頭部２０は、六角形の平板と略正八角形の平板を合わせた形状である。第１平面２３は六角形の平板にあり、第２平面２４は略正八角形の平板にある。２枚の平板の形状の相違から第１平面２３側に窪み２５が形成される。窪み２５は、第１実施例の窪み１５、１６と同様に、第１針部２１を壁Ｗから抜くときに用いられる。
頭部２０のこのような形状により、頭部２０を指などで回すことで、ネジ部２２を掲示物に挿入し易くなっている。また、工具を使って回すことも可能である。なお、係止具２では、頭部２０が六角形の平板と八角形の平板とを組み合わせた形状であるが、頭部２０が容易に指で回せる形状であれば、どのような形状であってもよい。例えば、少なくとも一辺が直線であれば、同様にネジ部２２を操作しやすくなる。
【００２９】
第１針部２１は、第１平面２３の法線に対して所定の角度傾斜して設けられている。係止具２では、図３（ｂ）に示すように、第１針部２１の先端が図中上向きになるように設けられる。第１平面２３の窪み２５は、第１平面２３の法線方向からみたときの第１針部２１の延長線上で、第１針部２１の先端の向く方向とは反対の縁部に位置する。
ネジ部２２は、第２平面２４に対して略垂直に設けられている。ネジ部２２は、先端が細くなっており、掲示物に挿入しやすくなっている。
係止具２の第１針部２１とネジ部２２とは、矢印Ｂの方向からみると一直線に並ぶように配置される。
第１針部２１の大きさは、第１実施例の係止具１と同様に、係止具２がどのような掲示物に係止されるかによって決まる。ネジ部２２も同様に、掲示物の大きさによりその大きさが決まる。
【００３０】
図４は、係止具２の使用時の状態を説明する図である。図４では、第１針部２１が壁Ｗに係止される。ネジ部２２が掲示物Ｏに係止される。
【００３１】
係止具２は、壁Ｗと掲示物Ｏとの間に設けられる。第１針部２１は、壁Ｗに対して、先端が図４の下方に向くように挿入される。これにより係止具２が壁Ｗに係止される。ネジ部２２は、掲示物Ｏに螺合される。ネジ部２２は螺合されるために、掲示物Ｏから簡単に抜けることはない。また、掲示物Ｏにより、係止具２には図４の下側方向に荷重がかかるが、第１針部２１の先端が下側を向いているために、簡単に第１針部２１が壁Ｗから簡単に抜けることはない。
【００３２】
係止具２を外す場合には、まず、窪み２５に指や棒を挿し込んで係止具２を上から下へ、第１平面２３の下端を回転中止として回転させる。これにより、第１針部２１が壁Ｗから簡単に抜ける。次に、係止具２を回してネジ部２２を掲示物Ｏから抜き取る。
【００３３】
図５は、係止具２の使用時の状態を説明する別の図である。図５では、図４とは逆に、第１針部２１が掲示物Ｏに係止され、ネジ部２２が壁Ｗに係止される。
【００３４】
係止具２は、壁Ｗと掲示物Ｏとの間に設けられる。第１針部２１は、掲示物Ｏに対して、先端が図５の上方に向くように挿入される。これにより掲示物Ｏが係止具２に係止される。このように挿入されることで、掲示物Ｏに図５の下方向きの力が加わっても、簡単に第１針部２１が抜けることはない。ネジ部２２は、壁Ｗに螺合される。掲示物Ｏにより、係止具２には図５の下側方向に荷重がかかるが、ネジ部２２は壁Ｗに螺合されているために、簡単に壁Ｗから簡単に抜けることはない。
【００３５】
係止具２を外す場合には、まず、窪み２５に指や棒を挿し込んで、掲示物Ｏを下から上へ、第１平面２３の上端を回転中心として回転させる。これにより、第１針部２１が掲示物Ｏから簡単に抜ける。次に、係止具２を回してネジ部２２を壁Ｗから抜き取る。
【００３６】
係止具２は、ネジ部２２を用いるために、第１実施例の係止具１よりも重い掲示物に用いることができる。なお、係止具２の第１平面２３に、第１針部２１に替えて第２平面２４と同じくネジ部を設けてもよい。この場合、頭部２０の２面にネジ部が設けられ、さらに重い掲示物に用いることが可能になる。
【００３７】
＜第３実施例＞
図６は、第３実施例の係止具３の構成図である。
係止具３は、第１実施例の係止具１の変形例である。第１実施例の係止具１の各部と同じ機能の部材については、同じ名前及び符号を用いて説明する。係止具１の変形例であるので、係止具３は、係止具１と同様の使い方が可能である。
係止具１では、第１針部１１及び第２針部１２を備えた構成であるが、係止具３では、第１針部１１の他に、２本の第２針部１２０、１２１を備えた構成になっている。係止具３は、２本の第２針部１２０、１２１を備えることで、係止具１よりも重い掲示物に用いることが可能である。
なお係止具３では、２本の第２針部１２０、１２１を備えた構成となっているが、第１針部１１も含めて、針の本数は、それぞれ何本であっても構わない。それぞれの本数を掲示物の大きさ、重さ、数、形状、硬さなどにより、適宜決めればよい。
【００３８】
＜第４実施例＞
図７は、第４実施例の係止具４の構成図である。
係止具４は、第２実施例の係止具２の変形例である。第２実施例の係止具２の各部と同じ機能の部材については、同じ名前及び符号を用いて説明する。係止具２の変形例であるので、係止具４は、係止具２と同様の使い方が可能である。
係止具２では、第１針部２１及びネジ部２２を備えた構成であるが、係止具４では、ネジ部２２の他に、２本の第１針部２１０、２１１を備えた構成になっている。係止具４は、２本の第１針部２１０、２１１を備えることで、係止具２よりも重い掲示物に用いることが可能である。
なお係止具４では、２本の第１針部２１０、２１１を備えた構成となっているが、針の本数は、何本であっても構わない。針の本数を掲示物の大きさ、重さ、数、形状、硬さなどにより、適宜決めればよい。
【００３９】
＜第５実施例＞
図８は、第５実施例の係止具５の構成図である。
係止具５は、第１実施例の係止具１の変形例である。係止具１は、頭部１０が１個の部品で構成されるが、係止具５では、頭部が複数のピンフックの組み合わせで構成される点で異なる。ただし、係止具５の頭部の全体の形状は、係止具１の頭部１０と略同じである。係止具１の変形例であるので、係止具５は、係止具１と同様の効果を得ることができる。
【００４０】
第５実施例では、係止具５が２個のピンフック５０、５１で構成される。各ピンフック５０、５１の形状は同じであるので、ピンフック５０について説明し、ピンフック５１については説明を省略する。また、第１実施例の係止具１の各部と同じ機能の部材については、同じ名前及び符号を用いて説明する。
【００４１】
ピンフック５０は、第１平面１３となる面を有する矩形の平板５２と、第１平面と平行な平面に設けられる突起部５３とを備える。平板５２の第１平面１３となる面に第１針部１１が設けらる。突起部５３に直接掲示物を係止することも可能であるが、この実施例では、ピンフック５０、５１の突起部５３、５５同士をかみ合わせることで、ピンフック５０、５１同士を係止して用いる。ピンフック５０、５１同士を係止することで、係止具５が形成される。
頭部の窪み１５は、ピンフック５１の突起部５５とピンフック５０の平板５２とにより形成される。同様に窪み１６は、ピンフック５０の突起部５３とピンフック５１の平板５４とにより形成される。
【００４２】
係止具５は、例えば、壁にピンフック５０の第１針部１１を挿入し、掲示物にピンフック５１の第２針部１２を挿入した後に、ピンフック５０、５１の突起部５３、５５同士を係止することで、掲示物の掲示が可能になる。また、掲示物を取り外すときには、ピンフック５０、５１を別々にして壁、掲示物から取り外すことができる。そのために、第１実施例の係止具１よりも容易に、掲示物の掲示が可能である。
【００４３】
係止具５は、２個のピンフック５０、５１を組み合わせた構成としているが、組み合わせるピンフックの数は更に多くてもよい。ピンフックの数が多くなるにつれて、係止具５の針の本数が多くなり、より重い掲示物に適用可能になる。つまり、第３実施例の係止具３の構成を容易に実現可能になる。
なお、第１、第２針部１１、１２のいずかを第２実施例の係止具２のネジ部２２として構成することも可能である。
【００４４】
＜第６実施例＞
図９は、第６実施例の係止具６の構成図である。
係止具６は、第１実施例の係止具１の変形例である。係止具６と係止具１とでは、頭部６０の形状が異なる。係止具１の変形例であるので、係止具６は、係止具１と同様の使い方が可能である。
係止具６の頭部６０は、他の係止具６の頭部６０と接続可能になっている。図９の例では、係止具６の頭部６０に、それぞれ２個の嵌合部６１及び嵌合穴６２が形成される。嵌合部６１は、他の係止具６の頭部６０に形成された嵌合穴６２に嵌合可能である。嵌合穴６２には、他の係止具６の頭部６０に形成された嵌合部６１が嵌合される。
つまり、いわゆるジグソーパズルのようにして、頭部６０を接続可能である。嵌合部６１及び嵌合穴６２は、図８ではそれぞれ２個ずつ頭部６０に設けられているが、これらの数は更に多くてもよい。また、１個ずつでもよい。
【００４５】
このような構成であるために、針の本数を自由に調整可能である。針の本数が多くなるにつれて、係止具６の針の本数が多くなり、より重い掲示物に適用可能になる。つまり、第３実施例の係止具３を容易に実現可能になる。
なお、頭部６０に嵌合部６２及び嵌合穴６３を設けて複数の係止具６を接続する構成は、頭部の形状によらず可能である。また、係止具６は、係止具１の変形例として説明したが、第２実施例の係止具２の変形例として実現することも可能である。
【００４６】
＜第７実施例＞
図１０は、第７実施例の係止具の構成図である。
係止具７は、第５実施例の係止具５と同様に、複数のピンフックを組み合わせて構成される。係止具７は、係止具５とは組み合わせるピンフックの形状に違いがあるが、同様の使い方が可能であり、また効果についても同様の効果が得られる。
【００４７】
第７実施例では、係止具７が２個のピンフック７０、７１で構成される。各ピンフック７０、７１の形状は同じであるので、ピンフック７０について説明し、ピンフック７１については説明を省略する。また、第５実施例の係止具５の各部と同じ機能の部材については、同じ名前及び符号を用いて説明する。図１１は、ピンフック７０の構成図である。
【００４８】
ピンフック７０は、Ｌ字部材７２の第１平面１３となる面に第１針部１１が設けられ、Ｌ字部材７２の第１平面１３が設けられる側の端部に他のピンフック７１に係止される場合にピンフック７１に嵌合される嵌合部７３が設けられ、Ｌ字部材７２の他方の端部に第１平面１３と平行になるように突起部７４が設けられる。Ｌ字部材７２、嵌合部７３、及び突起部７４により、ピンフック７０には、嵌合部７３と略同じ形状、大きさの空間（嵌合穴７５）が形成される。また、嵌合部７３は、Ｌ字部材７２の端部から突起部７４側に向かって設けられている。嵌合部７３とＬ字部材７２の端部とにより、窪み７６が形成される。
【００４９】
ピンフック７０は、突起部７３に直接掲示物を係止することも可能であるが、この実施例では、ピンフック７０、７１同士を係止して用いる。ピンフック７０にピンフック７１を係止する場合には、ピンフック７０の嵌合部７３がピンフック７１の嵌合穴７５に勘合され、ピンフック７０の突起部７４がピンフック７１の窪み７６に係止される。ピンフック５０にピンフック５１を係止することで、図１０に示すような係止具７が形成される。
なお、第１、第２針部１１、１２のいずかを第２実施例の係止具２のネジ部２２として構成することも可能である。
【００５０】
以上のような、第１〜７実施例の係止具１〜７は、従来の画鋲と同様の手軽さで第１針部１１を壁や掲示物に係止することができる。第１針部１１は、第１平面１３、２３の法線に対して所定の角度傾斜して設けられているために、例えば壁から第１針部１１が自然に抜ける可能性は低い。その一方で、第１平面１３、２３には、使用者の操作により第１針部１１が容易に抜けるように窪み１５、２５、７６が設けられている。使用者が意図して係止具１〜７を抜く場合には、窪み１５、２５、７６に指や棒を挿し込んで操作することで容易に抜くことができる。第２実施例の係止具２のように、ネジ部２２を有する場合には、従来のネジと同様の手軽さでネジ部２２を壁や掲示物に係止することができる。ネジ部２２には、第１針部１１よりも重い掲示物の係止が可能になる。また、係止具１〜７は、壁へ係止し易く、且つ係止具１〜７に直接掲示物を係止する構成であるために掲示物を、容易に、バランス良く壁に掲示でき、美観を損ねることはない。
【符号の説明】
【００５１】
１，２，３，４，５，６，７…係止具、１０，２０，６０…頭部、１１，２１，２１０，２１１…第１針部、１２，１２０，１２１…第２針部、１３，２３…第１平面、１４，２４…第２平面、１５，１６，２５，７６…窪み、２２…ネジ部、５０，５１，７０，７１…ピンフック、５２，５４…平板、５３，５５，７４…突起部、６１，７３…嵌合部、６２，７５…嵌合穴、７２…Ｌ字部材、Ｗ…壁、Ｏ…掲示物
【図１】
2010246710.tif 000003
【図２】
2010246710.tif 000004
【図３】
2010246710.tif 000005
【図４】
2010246710.tif 000006
【図５】
2010246710.tif 000007
【図６】
2010246710.tif 000008
【図７】
2010246710.tif 000009
【図８】
2010246710.tif 000010
【図９】
2010246710.tif 000011
【図１０】
2010246710.tif 000012
【図１１】
2010246710.tif 000013